(57)【要約】【課題】本発明はバス停看板灯源の多様利用設備を開示した。【解決手段】本発明はバス停看板灯源の多様利用設備を開示、広告看板と、前記広告看板を支持する二本の支持柱とを含み、前記広告看板の上側には前記支持柱と連結されたひさしが設けられ、、前記広告看板の中には広告回転機構が設置され、前記広告回転機構は一つの回転チャンバと二つの転動チャンバとを含み、前記転動チャンバの中には転動輪と旋転輪とが設置され、前記回転チャンバの中には灯源が設置され、前記転動輪と前記旋転輪とは案内板情報を掲載したテープによって連結され、夜になると、装置は広告布を照らすことと同時に、利用者に案内板を視認できるように照明を提供し、灯源の利用率を高め、実質的に電気量の消耗を減少できる。【選択図】図１
2020204754.tif 000002
【特許請求の範囲】
【請求項１】
正面視で、本発明のバス停看板灯源の多様利用設備は、広告看板と、前記広告看板を支持する二本の支持柱とを含み、前記広告看板の上側には前記支持柱と連結されたひさしが設けられ、、前記広告看板の中には広告回転機構が設置され、前記広告回転機構は一つの回転チャンバと二つの転動チャンバとを含み、前記転動チャンバの中には転動輪と旋転輪とが設置され、前記回転チャンバの中には灯源が設置され、前記転動輪と前記旋転輪とは案内板情報を掲載したテープによって連結され、二本の前記支持柱の中にはいずれも前記広告回転機構の作動を制御できる駆動機構が設置され、
二本の前記支持柱の中には手動で制御できる伝動機構も設置され、左側の前記伝動機構は従動チャンバを含み、前記転動チャンバの中には一端が外部に位置する転動軸が設置され、前記転動軸の左端には転動盤が固定され、且つ前記転動軸の右端には前記転動輪が固定され、前記従動チャンバの端壁の中には前記従動チャンバを貫通した支持チャンバが二つ設置され、前記支持チャンバの中には前記従動チャンバを貫通した従動軸が設置され、前記従動チャンバの中に位置した前記従動軸には従動輪が固定され、二つの前記従動輪が接触しており、且つ下側の前記従動輪と前記転動軸とは接触しており、上側の前記支持チャンバの上端壁の中には前記支持チャンバを連通した弓形チャンバが二つ設置され、前記弓形チャンバの中には下端が上側の前記従動軸と連結された位置制限ブロックが設置され、上側の前記従動軸の右端は前記転動チャンバの中に位置し、且つ前記従動軸の右端には摩擦ブロックが二つネジ山によって連結され、前記転動チャンバの左端壁には右方に開口した位置制限溝が設置され、前記位置制限溝の中には右端が二つの前記摩擦ブロックを貫通した位置制限棒が設置され、
前記旋転輪の中には前記駆動機構による動力を伝達できる従動機構が設置され、手動で前記伝動機構の作業を制御し、それにより、前記従動機構を前記駆動機構との連結状態から離脱させ、そして手動で前記テープの回転を制御し、必要情報の確認に便利であり、且つ前記回転チャンバの中の光線は前記転動チャンバの中に伝達でき、前記テープを照らし、暗い環境での視認に便利であることを特徴とするバス停看板灯源の多様利用設備。
【請求項２】
前記広告回転機構は二本の回転軸を含み、二本の前記回転軸の左右両端はいずれも左右両側の前記転動チャンバの中に位置し、前記回転チャンバの中に位置する回転軸にはローラが固定され、二つの前記ローラは広告を掲載した広告布によって連結され、上側の前記回転軸の左右両端の中にはいずれも付勢チャンバが設置され、前記付勢チャンバの中には付勢板が設置され、前記付勢チャンバの片側端壁の中には前記転動チャンバを連通した摩擦環状溝が設置され、前記付勢板の片側端面には一端が前記転動チャンバの中に位置する付勢棒が固定され、前記付勢板のもう一側端面には二本の従動棒と前記付勢板を復位させられる伸縮ばねとが固定され、前記従動棒の一端は前記摩擦環状溝の中に位置することを特徴とする請求項１に記載のバス停看板灯源の多様利用設備。
【請求項３】
左側の前記駆動機構は駆動チャンバを含み、前記駆動チャンバの左端壁にはモータが固定され、前記モータの右端には右端が前記転動チャンバの中に位置する駆動軸が伝動可能に連結され、前記駆動軸の中には前記駆動軸の前後両端を貫通した貫通チャンバが設置され、前記貫通チャンバの中には右端が前記駆動軸を貫通した移動棒が設置され、且つ前記移動棒が前記付勢棒と当接し、前記駆動軸の左端には遠心輪がスライド可能に連結され、前記移動棒の左端には一端が前記遠心輪と固定的に連結された連結ブロックが二つ固定され、前記駆動チャンバの上端壁の中には第一液圧チャンバが設置され、前記駆動チャンバの左端壁の中には第二液圧チャンバが設置され、前記第一液圧チャンバの中には第一液圧板が設置され、前記第一液圧板の下端には下端が前記駆動チャンバの中に位置する第一液圧棒が固定され、前記第一液圧棒の下端には前記遠心輪の上端と接触した従動板が固定され、前記第二液圧チャンバの中には第二液圧板が設置され、前記第二液圧板の右端には右端が前記遠心輪と接触した第二液圧棒が固定され、前記第一液圧チャンバと前記第二液圧チャンバとは液圧パイプによって連通され、前記転動チャンバの左右端壁の間には伝動軸が回転可能に連結され、前記伝動軸の中には前記伝動軸の左右両端を貫通した伝動チャンバが設置され、上側の前記回転軸の左端は前記伝動チャンバの中に位置し、前記駆動軸の右端は前記伝動チャンバの中に位置し、且つ前記伝動軸と固定的に連結され、前記伝動チャンバの上下端壁にはいずれも一端が前記摩擦環状溝の中に位置する固定ブロックが固定されていることを特徴とする請求項１又は請求項２に記載のバス停看板灯源の多様利用設備。
【請求項４】
前記伝動機構は前記転動軸の中に設置され、且つ前記転動チャンバを連通した収納チャンバも含み、下側の前記回転軸の左右両端は左右両側の前記収納チャンバの中にそれぞれ位置することを特徴とする請求項１又は請求項２に記載のバス停看板灯源の多様利用設備。
【請求項５】
前記従動機構は前記転動チャンバを連通した環状チャンバを含み、前記旋転輪と前記伝動軸とはスライド可能に連結され、前記環状チャンバの左右端壁の中にはいずれも前記環状チャンバを連通した弓形溝が設置され、前記環状チャンバの中には外端が外部に位置する摩擦輪が設置され、前記摩擦輪の中には磁石ブロックが二つ嵌め込むように設置され、前記弓形溝の中には一端が前記摩擦輪と連結されたスライドブロックが設置され、前記弓形溝の前後端壁にはいずれも一端が前記スライドブロックと連結されたスライドばねが固定され、前記旋転輪の中には前記転動チャンバを連通したばねチャンバが二つ設置され、前記ばねチャンバの中には一端が前記伝動軸と接触したばねブロックと前記ばねブロックを復位させられる圧縮ばねとが設置され、前記ばねチャンバの片側端壁には前記環状チャンバを連通した貫通穴が設置され、前記磁石ブロックは前記貫通穴を通過して前記ばねブロックと排斥し合えることを特徴とする請求項１に記載のバス停看板灯源の多様利用設備。
【請求項６】
前記転動軸と前記支持柱との間の摩擦力は前記テープと前記転動輪との間の摩擦力より遥かに大きく、前記旋転輪と前記テープとの間の摩擦力は前記転動輪と前記テープとの間の摩擦力より遥かに大きいのであることを特徴とする請求項１に記載のバス停看板灯源の多様利用設備。
【請求項７】
前記従動棒が前記摩擦環状溝に合わせて前記固定ブロックを挟んだ後、前記固定ブロックと前記摩擦環状溝の端壁との間の摩擦力は前記伝動軸に前記回転軸を回転連動させることができることを特徴とする請求項２又は請求項３に記載のバス停看板灯源の多様利用設備。
【請求項８】
前記磁石ブロックは前記貫通穴を通過して前記ばねブロックと相対になる時に、前記磁石ブロックは前記ばねブロックと排斥し合うことを特徴とする請求項５に記載のバス停看板灯源の多様利用設備。
【発明の詳細な説明】
【技術分野】
【０００１】
本発明は省エネ分野を取り上げ、具体的にはバス停看板灯源の多様利用設備である。
【背景技術】
【０００２】
バス停は広告主によく利用される広告掲出スポットであり、また、夜になると、自動的にバス停内の広告に照明を提供する。しかし、一般的に、広告の位置と案内板の位置は異なるため、暗くなると、広告の方は照明によってよく視認できるが、案内板の方はうまく視認できず、バス停の利用者に対して不便であり、案内板における情報をうまく収集できない。
また、今時の案内板は情報をそのまま案内板に固定することが多く、最上側の情報を確認する時には利用者が仰向く必要があり、不便である。
【先行技術文献】
【特許文献】
【０００３】
【特許文献１】中国特許出願公開第107919074号明細書
【発明の概要】
【発明が解決しようとする課題】
【０００４】
本発明はバス停看板灯源の多様利用設備を提供し、既存技術にある上記の欠点を解消することを目的とする。
【課題を解決するための手段】
【０００５】
本発明は以下の技術プランによって実現する：本発明のバス停看板灯源の多様利用設備は、広告看板と、前記広告看板を支持する二本の支持柱とを含み、前記広告看板の上側には前記支持柱と連結されたひさしが設けられ、、前記広告看板の中には広告回転機構が設置され、前記広告回転機構は一つの回転チャンバと二つの転動チャンバとを含み、前記転動チャンバの中には転動輪と旋転輪とが設置され、前記回転チャンバの中には灯源が設置され、前記転動輪と前記旋転輪とは案内板情報を掲載したテープによって連結され、二本の前記支持柱の中にはいずれも前記広告回転機構の作動を制御できる駆動機構が設置され、
二本の前記支持柱の中には手動で制御できる伝動機構も設置され、左側の前記伝動機構は従動チャンバを含み、前記転動チャンバの中には一端が外部に位置する転動軸が設置され、前記転動軸の左端には転動盤が固定され、且つ前記転動軸の右端には前記転動輪が固定され、前記従動チャンバの端壁の中には前記従動チャンバを貫通した支持チャンバが二つ設置され、前記支持チャンバの中には前記従動チャンバを貫通した従動軸が設置され、前記従動チャンバの中に位置した前記従動軸には従動輪が固定され、二つの前記従動輪が接触しており、且つ下側の前記従動輪と前記転動軸とは接触しており、上側の前記支持チャンバの上端壁の中には前記支持チャンバを連通した弓形チャンバが二つ設置され、前記弓形チャンバの中には下端が上側の前記従動軸と連結された位置制限ブロックが設置され、上側の前記従動軸の右端は前記転動チャンバの中に位置し、且つ前記従動軸の右端には摩擦ブロックが二つネジ山によって連結され、前記転動チャンバの左端壁には右方に開口した位置制限溝が設置され、前記位置制限溝の中には右端が二つの前記摩擦ブロックを貫通した位置制限棒が設置され、
前記旋転輪の中には前記駆動機構による動力を伝達できる従動機構が設置され、手動で前記伝動機構の作業を制御し、それにより、前記従動機構を前記駆動機構との連結状態から離脱させ、そして手動で前記テープの回転を制御し、必要情報の確認に便利であり、且つ前記回転チャンバの中の光線は前記転動チャンバの中に伝達でき、前記テープを照らし、暗い環境での視認に便利である。
【０００６】
さらなる技術プランとして、前記広告回転機構は二本の回転軸を含み、二本の前記回転軸の左右両端はいずれも左右両側の前記転動チャンバの中に位置し、前記回転チャンバの中に位置する回転軸にはローラが固定され、二つの前記ローラは広告を掲載した広告布によって連結され、上側の前記回転軸の左右両端の中にはいずれも付勢チャンバが設置され、前記付勢チャンバの中には付勢板が設置され、前記付勢チャンバの片側端壁の中には前記転動チャンバを連通した摩擦環状溝が設置され、前記付勢板の片側端面には一端が前記転動チャンバの中に位置する付勢棒が固定され、前記付勢板のもう一側端面には二本の従動棒と前記付勢板を復位させられる伸縮ばねとが固定され、前記従動棒の一端は前記摩擦環状溝の中に位置する。
【０００７】
さらなる技術プランとして、左側の前記駆動機構は駆動チャンバを含み、前記駆動チャンバの左端壁にはモータが固定され、前記モータの右端には右端が前記転動チャンバの中に位置する駆動軸が伝動可能に連結され、前記駆動軸の中には前記駆動軸の前後両端を貫通した貫通チャンバが設置され、前記貫通チャンバの中には右端が前記駆動軸を貫通した移動棒が設置され、且つ前記移動棒が前記付勢棒と当接し、前記駆動軸の左端には遠心輪がスライド可能に連結され、前記移動棒の左端には一端が前記遠心輪と固定的に連結された連結ブロックが二つ固定され、前記駆動チャンバの上端壁の中には第一液圧チャンバが設置され、前記駆動チャンバの左端壁の中には第二液圧チャンバが設置され、前記第一液圧チャンバの中には第一液圧板が設置され、前記第一液圧板の下端には下端が前記駆動チャンバの中に位置する第一液圧棒が固定され、前記第一液圧棒の下端には前記遠心輪の上端と接触した従動板が固定され、前記第二液圧チャンバの中には第二液圧板が設置され、前記第二液圧板の右端には右端が前記遠心輪と接触した第二液圧棒が固定され、前記第一液圧チャンバと前記第二液圧チャンバとは液圧パイプによって連通され、前記転動チャンバの左右端壁の間には伝動軸が回転可能に連結され、前記伝動軸の中には前記伝動軸の左右両端を貫通した伝動チャンバが設置され、上側の前記回転軸の左端は前記伝動チャンバの中に位置し、前記駆動軸の右端は前記伝動チャンバの中に位置し、且つ前記伝動軸と固定的に連結され、前記伝動チャンバの上下端壁にはいずれも一端が前記摩擦環状溝の中に位置する固定ブロックが固定されている。
【０００８】
さらなる技術プランとして、前記伝動機構は前記転動軸の中に設置され、且つ前記転動チャンバを連通した収納チャンバも含み、下側の前記回転軸の左右両端は左右両側の前記収納チャンバの中にそれぞれ位置する。
【０００９】
さらなる技術プランとして、前記従動機構は前記転動チャンバを連通した環状チャンバを含み、前記旋転輪と前記伝動軸とはスライド可能に連結され、前記環状チャンバの左右端壁の中にはいずれも前記環状チャンバを連通した弓形溝が設置され、前記環状チャンバの中には外端が外部に位置する摩擦輪が設置され、前記摩擦輪の中には磁石ブロックが二つ嵌め込むように設置され、前記弓形溝の中には一端が前記摩擦輪と連結されたスライドブロックが設置され、前記弓形溝の前後端壁にはいずれも一端が前記スライドブロックと連結されたスライドばねが固定され、前記旋転輪の中には前記転動チャンバを連通したばねチャンバが二つ設置され、前記ばねチャンバの中には一端が前記伝動軸と接触したばねブロックと前記ばねブロックを復位させられる圧縮ばねとが設置され、前記ばねチャンバの片側端壁には前記環状チャンバを連通した貫通穴が設置され、前記磁石ブロックは前記貫通穴を通過して前記ばねブロックと排斥し合える。
【００１０】
さらなる技術プランとして、前記転動軸と前記支持柱との間の摩擦力は前記テープと前記転動輪との間の摩擦力より遥かに大きく、前記旋転輪と前記テープとの間の摩擦力は前記転動輪と前記テープとの間の摩擦力より遥かに大きい。
【００１１】
さらなる技術プランとして、前記従動棒が前記摩擦環状溝に合わせて前記固定ブロックを挟んだ後、前記固定ブロックと前記摩擦環状溝の端壁との間の摩擦力は前記伝動軸に前記回転軸を回転連動させることができる。
【００１２】
さらなる技術プランとして、前記磁石ブロックは前記貫通穴を通過して前記ばねブロックと相対になる時に、前記磁石ブロックは前記ばねブロックと排斥し合う。
【発明の効果】
【００１３】
本発明のメリットは：本発明はシンプルな構成と簡単な操作方法を有し、夜になると、装置は広告布を照らすことと同時に、利用者に案内板を視認できるように照明を提供し、灯源の利用率を高め、実質的に電気量の消耗を減少し、また、装置を利用することで、案内板情報を自動で又は手動で調節し、視認に便利な高度に変えられ、利用者が仰向く必要はない。
【図面の簡単な説明】
【００１４】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１本発明の構成略図
【図２】図２は本発明における上側の支持チャンバの全体断面の左面拡大構成略図
【図３】図３は本発明における旋転輪の全体断面の左面拡大構成略図
【図４】図４は本発明における上側の回転軸の局部断面の正面拡大構成略図
【図５】図５は本発明における旋転輪の局部断面の正面拡大構成略図
【図６】図６は本発明における駆動機構の局部断面の左面拡大構成略図
【発明を実施するための形態】
【００１６】
附図を合わせて、本発明のバス停看板灯源の多様利用設備は、広告看板３１と、前記広告看板３１を支持する二本の支持柱１とを含み、前記広告看板３１の上側には前記支持柱１と連結されたひさし１７が設けられ、、前記広告看板３１の中には広告回転機構５９が設置され、前記広告回転機構５９は一つの回転チャンバ３２と二つの転動チャンバ２とを含み、前記転動チャンバ２の中には転動輪３と旋転輪３６とが設置され、前記回転チャンバ３２の中には灯源６０が設置され、前記転動輪３と前記旋転輪３６とは案内板情報を掲載したテープ３４によって連結され、二本の前記支持柱１の中にはいずれも前記広告回転機構５９の作動を制御できる駆動機構５７が設置され、二本の前記支持柱１の中には手動で制御できる伝動機構５８も設置され、左側の前記伝動機構５８は従動チャンバ７を含み、前記転動チャンバ２の中には一端が外部に位置する転動軸５が設置され、前記転動軸５の左端には転動盤４が固定され、且つ前記転動軸５の右端には前記転動輪３が固定され、前記従動チャンバ７の端壁の中には前記従動チャンバ７を貫通した支持チャンバ８が二つ設置され、前記支持チャンバ８の中には前記従動チャンバ７を貫通した従動軸６が設置され、前記従動チャンバ７の中に位置した前記従動軸６には従動輪１０が固定され、二つの前記従動輪１０が接触しており、且つ下側の前記従動輪１０と前記転動軸５とは接触しており、上側の前記支持チャンバ８の上端壁の中には前記支持チャンバ８を連通した弓形チャンバ３５が二つ設置され、前記弓形チャンバ３５の中には下端が上側の前記従動軸６と連結された位置制限ブロック９が設置され、上側の前記従動軸６の右端は前記転動チャンバ２の中に位置し、且つ前記従動軸６の右端には摩擦ブロック２８が二つネジ山によって連結され、前記転動チャンバ２の左端壁には右方に開口した位置制限溝２５が設置され、前記位置制限溝２５の中には右端が二つの前記摩擦ブロック２８を貫通した位置制限棒２６が設置され、前記旋転輪３６の中には前記駆動機構５７による動力を伝達できる従動機構５６が設置され、手動で前記伝動機構５８の作業を制御し、それにより、前記従動機構５６を前記駆動機構５７との連結状態から離脱させ、そして手動で前記テープ３４の回転を制御し、必要情報の確認に便利であり、且つ前記回転チャンバ３２の中の光線は前記転動チャンバ２の中に伝達でき、前記テープ３４を照らし、暗い環境での視認に便利である。
【００１７】
好ましくは、前記広告回転機構５９は二本の回転軸２９を含み、二本の前記回転軸２９の左右両端はいずれも左右両側の前記転動チャンバ２の中に位置し、前記回転チャンバ３２の中に位置する回転軸２９にはローラ３０が固定され、二つの前記ローラ３０は広告を掲載した広告布３３によって連結され、上側の前記回転軸２９の左右両端の中にはいずれも付勢チャンバ４５が設置され、前記付勢チャンバ４５の中には付勢板４６が設置され、前記付勢チャンバ４５の片側端壁の中には前記転動チャンバ２を連通した摩擦環状溝４８が設置され、前記付勢板４６の片側端面には一端が前記転動チャンバ２の中に位置する付勢棒４４が固定され、前記付勢板４６のもう一側端面には二本の従動棒４７と前記付勢板４６を復位させられる伸縮ばね４１とが固定され、前記従動棒４７の一端は前記摩擦環状溝４８の中に位置する。
【００１８】
好ましくは、左側の前記駆動機構５７は駆動チャンバ２１を含み、前記駆動チャンバ２１の左端壁にはモータ１１が固定され、前記モータ１１の右端には右端が前記転動チャンバ２の中に位置する駆動軸２２が伝動可能に連結され、前記駆動軸２２の中には前記駆動軸２２の前後両端を貫通した貫通チャンバ２３が設置され、前記貫通チャンバ２３の中には右端が前記駆動軸２２を貫通した移動棒４３が設置され、且つ前記移動棒４３が前記付勢棒４４と当接し、前記駆動軸２２の左端には遠心輪２４がスライド可能に連結され、前記移動棒４３の左端には一端が前記遠心輪２４と固定的に連結された連結ブロック５５が二つ固定され、前記駆動チャンバ２１の上端壁の中には第一液圧チャンバ２０が設置され、前記駆動チャンバ２１の左端壁の中には第二液圧チャンバ１４が設置され、前記第一液圧チャンバ２０の中には第一液圧板１８が設置され、前記第一液圧板１８の下端には下端が前記駆動チャンバ２１の中に位置する第一液圧棒１９が固定され、前記第一液圧棒１９の下端には前記遠心輪２４の上端と接触した従動板１５が固定され、前記第二液圧チャンバ１４の中には第二液圧板１３が設置され、前記第二液圧板１３の右端には右端が前記遠心輪２４と接触した第二液圧棒１２が固定され、前記第一液圧チャンバ２０と前記第二液圧チャンバ１４とは液圧パイプ１６によって連通され、前記転動チャンバ２の左右端壁の間には伝動軸４０が回転可能に連結され、前記伝動軸４０の中には前記伝動軸４０の左右両端を貫通した伝動チャンバ４２が設置され、上側の前記回転軸２９の左端は前記伝動チャンバ４２の中に位置し、前記駆動軸２２の右端は前記伝動チャンバ４２の中に位置し、且つ前記伝動軸４０と固定的に連結され、前記伝動チャンバ４２の上下端壁にはいずれも一端が前記摩擦環状溝４８の中に位置する固定ブロック３９が固定されている。
【００１９】
好ましくは、前記伝動機構５８は前記転動軸５の中に設置され、且つ前記転動チャンバ２を連通した収納チャンバ２７も含み、下側の前記回転軸２９の左右両端は左右両側の前記収納チャンバ２７の中にそれぞれ位置する。  
【００２０】
好ましくは、前記従動機構５６は前記転動チャンバ２を連通した環状チャンバ５２を含み、前記旋転輪３６と前記伝動軸４０とはスライド可能に連結され、前記環状チャンバ５２の左右端壁の中にはいずれも前記環状チャンバ５２を連通した弓形溝３７が設置され、前記環状チャンバ５２の中には外端が外部に位置する摩擦輪５４が設置され、前記摩擦輪５４の中には磁石ブロック５３が二つ嵌め込むように設置され、前記弓形溝３７の中には一端が前記摩擦輪５４と連結されたスライドブロック３８が設置され、前記弓形溝３７の前後端壁にはいずれも一端が前記スライドブロック３８と連結されたスライドばね６１が固定され、前記旋転輪３６の中には前記転動チャンバ２を連通したばねチャンバ４９が二つ設置され、前記ばねチャンバ４９の中には一端が前記伝動軸４０と接触したばねブロック５０と前記ばねブロック５０を復位させられる圧縮ばね５１とが設置され、前記ばねチャンバ４９の片側端壁には前記環状チャンバ５２を連通した貫通穴６２が設置され、前記磁石ブロック５３は前記貫通穴６２を通過して前記ばねブロック５０と排斥し合える。
【００２１】
装置の作動順番は下記の通りである。
【００２２】
１：夜になると、灯源６０は作動し、広告布３３を照らすことと同時に、光線は転動チャンバ２の中に入り、テープ３４を照らし、テープ３４を視認するのに便利である。
【００２３】
２：モータ１１が作動し、駆動軸２２の回転を連動させ、それにより、遠心輪２４と伝動軸４０とは駆動されて回転し、磁石ブロック５３とばねブロック５０とが排斥し合うため、ばねブロック５０と伝動軸４０とが緊密に接触し、それにより、伝動軸４０は旋転輪３６の回転を駆動し、固定ブロック３９は摩擦環状溝４８の中に空転し、旋転輪３６はテープ３４の回転を駆動し、それにより、テープ３４に掲載された情報は回転でき、視認に便利であり、また、転動軸５と支持柱１との間の摩擦力はテープ３４と転動輪３との間の摩擦力より遥かに大きいため、テープ３４は転動輪３で空転する。
【００２４】
３：広告布３３を回転させようとする時に、モータ１１は駆動軸２２の回転を制御し、且つ駆動軸２２の回転速度は上げられ、それにより、遠心輪２４は作動し、従動板１５の上昇を駆動し、そして第一液圧棒１９と第一液圧板１８とは駆動されて上昇し、第二液圧板１３と第二液圧棒１２とを運動させ、さらに遠心輪２４は駆動されて運動し、さらに移動棒４３は移動駆動されて付勢棒４４を移動連動させ、それにより、付勢板４６は駆動されて移動し、且つ伸縮ばね４１は圧縮され、そして従動棒４７は移動し、摩擦環状溝４８の端壁に合わせて固定ブロック３９を挟み、さらに伝動軸４０の回転に上側の回転軸２９を回転連動させ、それにより、広告布３３を回転連動させ、広告布３３に掲載された広告が変えられた後、モータ１１は駆動軸２２を制御して元の回転速度に戻らせ、そして遠心輪２４を復位させ、この時に伸縮ばね４１は復位し、付勢板４６と付勢棒４４とを復位連動させ、それにより、駆動機構５７を復位させる。
【００２５】
４：人がテープ３４に掲載された案内情報を確認する時に、転動盤４を回し、転動軸５を回転連動させ、それにより、下側の従動輪１０と下側の従動軸６は駆動されて回転し、そして上側の従動軸６と上側の従動輪１０とは駆動されて回転し、さらに位置制限ブロック９は回転駆動され、且つ弓形チャンバ３５の片側端壁に接触し、この時に上側の従動軸６と従動輪１０とは回転できなくなる。
【００２６】
５：上側の従動軸６が回転する時に、二つの摩擦ブロック２８は駆動されて左右に運動し、且つ摩擦ブロック２８と摩擦輪５４とは接触し、この時に旋転輪３６は回転し、摩擦輪５４は摩擦ブロック２８の制限によって回転できなくなり、それにより、摩擦輪５４の中の磁石ブロック５３はばねブロック５０と正対しなくなり、そしてばねブロック５０は圧縮ばね５１によって復位し、この時に旋転輪３６は伝動軸４０につれて回転しなくなり、そして引き続きに手動で転動盤４を回し、転動輪３と転動軸５とを回転連動させ、それにより、手動でテープ３４の回転を制御でき、利用者は必要情報を確認できる。
【００２７】
６：利用者が利用後、転動盤４を逆方向に回し、転動軸５と、従動輪１０と、従動軸６を復位連動させ、それにより、位置制限ブロック９は復位し、そして摩擦ブロック２８は復位し、且つ摩擦ブロック２８と摩擦輪５４とは離脱し、そしてスライドばね６１は復位し、スライドブロック３８と摩擦輪５４とを復位連動させ、それにより、磁石ブロック５３は再びにばねブロック５０に正対し、磁石ブロック５３とばねブロック５０とが排斥し合うようになり、そしてばねブロック５０と伝動軸４０とは再びに緊密に接触するようになり、伝動軸４０が動力を旋転輪３６に伝達するのに便利であり、この時、装置は復位した。
【００２８】
以上に述べたのはただ本発明の具体的な実施方式であり、本発明の保護範囲は以上の内容に限らず、すべての創造的な労働を通じず思いつきの改動と取替は本発明の保護範囲にカバーされるべき。よって、本発明の保護範囲は権利要求書が限定された保護範囲を標準とすべきである。
【図１】
2020204754.tif 000003
【図２】
2020204754.tif 000004
【図３】
2020204754.tif 000005
【図４】
2020204754.tif 000006
【図５】
2020204754.tif 000007
【図６】
2020204754.tif 000008
【手続補正書】
【提出日】令和2年2月19日(2020.2.19)
【手続補正１】
【補正対象書類名】特許請求の範囲
【補正対象項目名】全文
【補正方法】変更
【補正の内容】
【特許請求の範囲】
【請求項１】
正面視で、本発明のバス停看板灯源の多様利用設備は、広告看板と、前記広告看板を支持する二本の支持柱とを含み、前記広告看板の上側には前記支持柱と連結されたひさしが設けられ、、前記広告看板の中には広告回転機構が設置され、前記広告回転機構は一つの回転チャンバと二つの転動チャンバとを含み、前記転動チャンバの中には転動輪と旋転輪とが設置され、前記回転チャンバの中には灯源が設置され、前記転動輪と前記旋転輪とは案内板情報を掲載したテープによって連結され、二本の前記支持柱の中にはいずれも前記広告回転機構の作動を制御できる駆動機構が設置され、 
二本の前記支持柱の中には手動で制御できる伝動機構も設置され、左側の前記伝動機構は従動チャンバを含み、前記転動チャンバの中には一端が外部に位置する転動軸が設置され、前記転動軸の左端には転動盤が固定され、且つ前記転動軸の右端には前記転動輪が固定され、前記従動チャンバの端壁の中には前記従動チャンバを貫通した支持チャンバが二つ設置され、前記支持チャンバの中には前記従動チャンバを貫通した従動軸が設置され、前記従動チャンバの中に位置した前記従動軸には従動輪が固定され、二つの前記従動輪が接触しており、且つ下側の前記従動輪と前記転動軸とは接触しており、上側の前記支持チャンバの上端壁の中には前記支持チャンバを連通した弓形チャンバが二つ設置され、前記弓形チャンバの中には下端が上側の前記従動軸と連結された位置制限ブロックが設置され、上側の前記従動軸の右端は前記転動チャンバの中に位置し、且つ前記従動軸の右端には摩擦ブロックが二つネジ山によって連結され、前記転動チャンバの左端壁には右方に開口した位置制限溝が設置され、前記位置制限溝の中には右端が二つの前記摩擦ブロックを貫通した位置制限棒が設置され、 
前記旋転輪の中には前記駆動機構による動力を伝達できる従動機構が設置され、手動で前記伝動機構の作業を制御し、それにより、前記従動機構を前記駆動機構との連結状態から離脱させ、そして手動で前記テープの回転を制御し、必要情報の確認に便利であり、且つ前記回転チャンバの中の光線は前記転動チャンバの中に伝達でき、前記テープを照らし、暗い環境での視認に便利であることを特徴とするバス停看板灯源の多様利用設備。 
【請求項２】
前記広告回転機構は二本の回転軸を含み、二本の前記回転軸の左右両端はいずれも左右両側の前記転動チャンバの中に位置し、前記回転チャンバの中に位置する回転軸にはローラが固定され、二つの前記ローラは広告を掲載した広告布によって連結され、上側の前記回転軸の左右両端の中にはいずれも付勢チャンバが設置され、前記付勢チャンバの中には付勢板が設置され、前記付勢チャンバの片側端壁の中には前記転動チャンバを連通した摩擦環状溝が設置され、前記付勢板の片側端面には一端が前記転動チャンバの中に位置する付勢棒が固定され、前記付勢板のもう一側端面には二本の従動棒と前記付勢板を復位させられる伸縮ばねとが固定され、前記従動棒の一端は前記摩擦環状溝の中に位置することを特徴とする請求項１に記載のバス停看板灯源の多様利用設備。 
【請求項３】
左側の前記駆動機構は駆動チャンバを含み、前記駆動チャンバの左端壁にはモータが固定され、前記モータの右端には右端が前記転動チャンバの中に位置する駆動軸が伝動可能に連結され、前記駆動軸の中には前記駆動軸の前後両端を貫通した貫通チャンバが設置され、前記貫通チャンバの中には右端が前記駆動軸を貫通した移動棒が設置され、且つ前記移動棒が前記付勢棒と当接し、前記駆動軸の左端には遠心輪がスライド可能に連結され、前記移動棒の左端には一端が前記遠心輪と固定的に連結された連結ブロックが二つ固定され、前記駆動チャンバの上端壁の中には第一液圧チャンバが設置され、前記駆動チャンバの左端壁の中には第二液圧チャンバが設置され、前記第一液圧チャンバの中には第一液圧板が設置され、前記第一液圧板の下端には下端が前記駆動チャンバの中に位置する第一液圧棒が固定され、前記第一液圧棒の下端には前記遠心輪の上端と接触した従動板が固定され、前記第二液圧チャンバの中には第二液圧板が設置され、前記第二液圧板の右端には右端が前記遠心輪と接触した第二液圧棒が固定され、前記第一液圧チャンバと前記第二液圧チャンバとは液圧パイプによって連通され、前記転動チャンバの左右端壁の間には伝動軸が回転可能に連結され、前記伝動軸の中には前記伝動軸の左右両端を貫通した伝動チャンバが設置され、上側の前記回転軸の左端は前記伝動チャンバの中に位置し、前記駆動軸の右端は前記伝動チャンバの中に位置し、且つ前記伝動軸と固定的に連結され、前記伝動チャンバの上下端壁にはいずれも一端が前記摩擦環状溝の中に位置する固定ブロックが固定されていることを特徴とする請求項２に記載のバス停看板灯源の多様利用設備。
【請求項４】
前記伝動機構は前記転動軸の中に設置され、且つ前記転動チャンバを連通した収納チャンバも含み、下側の前記回転軸の左右両端は左右両側の前記収納チャンバの中にそれぞれ位置することを特徴とする請求項２に記載のバス停看板灯源の多様利用設備。 
【請求項５】
前記従動機構は前記転動チャンバを連通した環状チャンバを含み、前記旋転輪と前記伝動軸とはスライド可能に連結され、前記環状チャンバの左右端壁の中にはいずれも前記環状チャンバを連通した弓形溝が設置され、前記環状チャンバの中には外端が外部に位置する摩擦輪が設置され、前記摩擦輪の中には磁石ブロックが二つ嵌め込むように設置され、前記弓形溝の中には一端が前記摩擦輪と連結されたスライドブロックが設置され、前記弓形溝の前後端壁にはいずれも一端が前記スライドブロックと連結されたスライドばねが固定され、前記旋転輪の中には前記転動チャンバを連通したばねチャンバが二つ設置され、前記ばねチャンバの中には一端が前記伝動軸と接触したばねブロックと前記ばねブロックを復位させられる圧縮ばねとが設置され、前記ばねチャンバの片側端壁には前記環状チャンバを連通した貫通穴が設置され、前記磁石ブロックは前記貫通穴を通過して前記ばねブロックと排斥し合えることを特徴とする請求項３に記載のバス停看板灯源の多様利用設備。 
【請求項６】
前記転動軸と前記支持柱との間の摩擦力は前記テープと前記転動輪との間の摩擦力より遥かに大きく、前記旋転輪と前記テープとの間の摩擦力は前記転動輪と前記テープとの間の摩擦力より遥かに大きいのであることを特徴とする請求項１に記載のバス停看板灯源の多様利用設備。 
【請求項７】
前記従動棒が前記摩擦環状溝に合わせて前記固定ブロックを挟んだ後、前記固定ブロックと前記摩擦環状溝の端壁との間の摩擦力は前記伝動軸に前記回転軸を回転連動させることができることを特徴とす請求項３に記載のバス停看板灯源の多様利用設備。
【請求項８】
前記磁石ブロックは前記貫通穴を通過して前記ばねブロックと相対になる時に、前記磁石ブロックは前記ばねブロックと排斥し合うことを特徴とする請求項５に記載のバス停看板灯源の多様利用設備。